(57)【要約】【課題】天井板の落下を抑制すると共に、天井板の持ち上げを容易にする。【解決手段】天井スラブから吊り下げられたバー材６の上部に取り付け、バー材６の下部に載せ掛けた状態で支持される天井板１０の落下を抑制する天井板落下抑制具２０であって、バー材６の上部に嵌め込み可能に下方に開口した開口部を有する嵌込部材１５と、嵌込部材１５から側方に突出するように設けられた弾性部材６０とを備えている。【選択図】図６
2019027140.tif 000002
【特許請求の範囲】
【請求項１】
天井スラブから吊り下げられたバー材の上部に取り付け、該バー材の下部に載せ掛けた状態で支持される天井板の落下を抑制する天井板落下抑制具であって、
上記バー材の上部に嵌め込み可能に下方に開口した開口部を有する嵌込部材と、
上記嵌込部材から側方に突出するように設けられた弾性部材とを備えていることを特徴とする天井板落下抑制具。
【請求項２】
請求項１に記載された天井板落下抑制具において、
上記弾性部材は、上記バー材の下部に支持される天井板の上面から離間するように設けられていることを特徴とする天井板落下抑制具。
【請求項３】
請求項１又は２に記載された天井板落下抑制具において、
上記弾性部材は、細長く形成され、上記嵌込部材の上部を貫通するように設けられていることを特徴とする天井板落下抑制具。
【請求項４】
請求項３に記載された天井板落下抑制具において、
上記弾性部材は、金属製のコイルばねにより構成されていることを特徴とする天井板落下抑制具。
【請求項５】
請求項４に記載された天井板落下抑制具において、
上記コイルばねは、引張コイルばねにより構成されていることを特徴とする天井板落下抑制具。
【請求項６】
請求項１〜５の何れか１つに記載された天井板落下抑制具において、
上記嵌込部材は、ばね鋼板により構成されていることを特徴とする天井板落下抑制具。
【請求項７】
請求項１〜６の何れか１つに記載された天井板落下抑制具において、
上記嵌込部材の開口部には、上記バー材の上部の抜けを抑制する返しが設けられていることを特徴とする天井板落下抑制具。
【請求項８】
天井スラブから吊り下げられたバー材を格子状に組み、各格子間に天井板を支持するシステム天井であって、
請求項１〜７の何れか１つに記載された天井板落下抑制具を備え、該天井板落下抑制具が上記各格子を構成する４辺のバー材のうち、対向する２辺に設けられていることを特徴とするシステム天井。
【発明の詳細な説明】
【技術分野】
【０００１】
本発明は、天井板落下抑制具及びそれを備えたシステム天井に関するものである。
【背景技術】
【０００２】
システム天井は、オフィスの天井として、照明設備、空調設備、安全設備等の設備を効率的に配置することができるので、従来より広く利用されている。このシステム天井は、金属製の複数のバー材を格子状に組んで天井スラブから吊り下げ、それらの格子状のバー材に天井板及び各種設備を載せ掛けるように構成されている。
【０００３】
例えば、特許文献１には、上記システム天井に相当するボード落し込み工法の天井構造において、クリップ形態のボード保持具により、上記天井板に相当する天井仕上材の脱落及び変位を阻止することが記載されている。
【先行技術文献】
【特許文献】
【０００４】
【特許文献１】特開平１１−２２０９９号公報（図４）
【発明の概要】
【発明が解決しようとする課題】
【０００５】
ところで、上記特許文献１に記載されたボード保持具では、その脚部が天井板の上面に当接し、上方に弾性変形すると共に、弾性復元力にて天井板を下方に押圧するので、天井板の落下を抑制することができるものの、例えば、天井裏を点検する際に、天井板を押し上げて、天井裏を覗き込むことが困難になってしまう。
【０００６】
本発明は、かかる点に鑑みてなされたものであり、その目的とするところは、天井板の落下を抑制すると共に、天井板の持ち上げを容易にすることにある。
【課題を解決するための手段】
【０００７】
上記目的を達成するために、本発明に係る天井板落下抑制具は、天井スラブから吊り下げられたバー材の上部に取り付け、該バー材の下部に載せ掛けた状態で支持される天井板の落下を抑制する天井板落下抑制具であって、上記バー材の上部に嵌め込み可能に下方に開口した開口部を有する嵌込部材と、上記嵌込部材から側方に突出するように設けられた弾性部材とを備えていることを特徴とする。
【０００８】
上記の構成によれば、バー材の上部に嵌め込み可能に下方に開口した開口部を有する嵌込部材と、その嵌込部材から側方に突出するように設けられた弾性部材とを備えているので、バー材の下部に天井板を支持させた状態でバー材の上部に嵌込部材を嵌め込むと、嵌込部材から側方に突出する弾性部材が天井板の上面から離間した状態で配置される。これにより、地震等により天井板がバー材の下部から数ｃｍ程度に浮いたとしても、天井板の上面の端部がストッパーとして機能する弾性部材に接触するので、天井板がバー材を乗り越えることを抑制することができ、天井板の落下を抑制することができる。また、例えば、天井裏を点検する際には、天井板を１０ｃｍ程度に大きく持ち上げるので、天井板を持ち上げる途中に天井板の上面の端部が弾性部材に接触しても弾性部材が弾性変形し、その後、天井板をさらに持ち上げることにより、天井板が弾性部材から外れることになる。そのため、天井板を大きく持ち上げる場合には、弾性部材がストッパーとして機能しなくなるので、天井板を容易に持ち上げることができる。したがって、天井板の落下を抑制すると共に、天井板の持ち上げを容易にすることができる。
【０００９】
上記弾性部材は、上記バー材の下部に支持される天井板の上面から離間するように設けられていてもよい。
【００１０】
上記の構成によれば、弾性部材がバー材の下部に支持される天井板の上面から離間するように設けられているので、バー材の下部に天井板が支持された状態では、弾性部材による弾性復元力が天井板に働かなく、天井板を持ち上げ易くすることができる。
【００１１】
上記弾性部材は、細長く形成され、上記嵌込部材の上部を貫通するように設けられていてもよい。
【００１２】
上記の構成によれば、細長の弾性部材が嵌込部材の上部を貫通するように設けられているので、天井板落下抑制具の構造を簡素化することができる。
【００１３】
上記弾性部材は、金属製のコイルばねにより構成されていてもよい。
【００１４】
上記の構成によれば、弾性部材が金属製のコイルばねにより構成されているので、弾性部材に不燃性を担保することができる。
【００１５】
上記コイルばねは、引張コイルばねにより構成されていてもよい。
【００１６】
上記の構成によれば、弾性部材が引張コイルばねにより構成されているので、同じサイズの圧縮コイルばねよりも弾性復元力を大きくすることができる。また、無負荷状態の引張コイルばねは、その側面に螺旋状の溝を有しているので、その螺旋状の溝を利用して、嵌込部材に弾性部材を半固定することができる。
【００１７】
上記嵌込部材は、ばね鋼板により構成されていてもよい。
【００１８】
上記の構成によれば、嵌込部材がばね鋼板により構成されているので、例えば、ばね鋼板をＵ字状に成型することにより、開口部を有する嵌込部材を容易に作製することができる。
【００１９】
上記嵌込部材の開口部には、上記バー材の上部の抜けを抑制する返しが設けられていてもよい。
【００２０】
上記の構成によれば、嵌込部材の開口部にバー材の上部の抜けを抑制する返しが設けられているので、バー材の上部からの天井板落下抑制具の脱落を抑制することができる。
【００２１】
また、本発明に係るシステム天井は、天井スラブから吊り下げられたバー材を格子状に組み、各格子間に天井板を支持するシステム天井であって、上述した天井板落下抑制具を備え、該天井板落下抑制具が上記各格子を構成する４辺のバー材のうち、対向する２辺に設けられていることを特徴とする。
【００２２】
上記の構成によれば、天井スラブから吊り下げられた複数のバー材を格子状に組み、各格子間に天井板を支持するシステム天井において、各格子を構成する４辺のバー材のうち、対向する２辺に天井板落下抑制具をそれぞれ取り付けるので、各格子間から天井板がすり抜け難くなり、天井板の落下を効率的に抑制することができる。
【発明の効果】
【００２３】
本発明によれば、バー材の上部に嵌め込み可能に下方に開口した嵌込部材と、その嵌込部材から側方に突出するように設けられた弾性部材とを備えているので、天井板の落下を抑制すると共に、天井板の持ち上げを容易にすることができる。
【図面の簡単な説明】
【００２４】
【図１】本発明の第１の実施形態に係るシステム天井を上方から見て示す斜視図である。
【図２】本発明の第１の実施形態に係るシステム天井を示す断面図である。
【図３】本発明の第１の実施形態に係るシステム天井を構成するバー材を示す横断面図である。
【図４】本発明の第１の実施形態に係るシステム天井を構成する天井板落下抑制具を示す正面図である。
【図５】本発明の第１の実施形態に係るシステム天井を構成する天井板落下抑制具を示す側面図である。
【図６】本発明の第１の実施形態に係るシステム天井における天井板落下抑制具を取り付けた部分を示す断面図である。
【発明を実施するための形態】
【００２５】
以下、本発明の実施形態を図面に基づいて詳細に説明する。なお、本発明は、以下の各実施形態に限定されるものではない。
【００２６】
《第１の実施形態》
図１〜図６は、本発明に係る天井板落下抑制具及びそれを備えたシステム天井の第１の実施形態を示している。ここで、図１は、本実施形態のシステム天井３０を上方から見て示す斜視図である。また、図２は、システム天井３０を示す断面図である。また、図３は、システム天井３０を構成するバー材６を示す横断面図である。また、図４及び図５は、システム天井３０を構成する天井板落下抑制具２０を示す正面図及び側面図である。また、図６は、システム天井３０における天井板落下抑制具２０を取り付けた部分を示す断面図である。
【００２７】
システム天井３０は、図１及び図２に示すように、天井スラブ１から吊り下げられて格子状に組まれた複数のバー材６と、複数のバー材６のなす各格子間に支持された天井板１０と、バー材６に取り付けられた天井板落下抑制具２０とを備えている。
【００２８】
天井スラブ１は、建物の室内の天井部分を構成している。
【００２９】
複数のバー材６は、図１に示すように、水平縦方向及び水平横方向に並べられて格子状に組まれている。ここで、複数のバー材６のなす各格子間には、図２に示すように、矩形状の収容口８が形成され、各収容口８には、天井板１０が支持されている。また、複数のバー材６が交差する部分の幾つかには、図１及び図２に示すように、ハンガー３が取り付けられている。そして、ハンガー３は、図１及び図２に示すように、天井スラブ１に埋め込まれて固定された吊りボルト２の下端部に一対のナット４により取り付けられている。
【００３０】
各バー材６は、図３に示すように、逆Ｔ字状の横断面を有し、上端に位置する矩形筒状の固定部６ａと、固定部６ａの下端から下向きに延びる板状の連結部６ｂと、連結部６ｂの下端に連続して水平方向に延びる左右一対の係止部６ｃとを備えている。ここで、各バー材６の上部の固定部６ａには、図１及び図２に示すように、ハンガー３の下端部がねじ止めされている。また、各バー材６の下部の係止部６ｃには、図２に示すように、天井板１０の周端部が載置されている。
【００３１】
天井板１０は、例えば、縦６００ｍｍ×横６００ｍｍ×厚さ１５ｍｍのロックウール化粧吸音板等の不燃板材により構成されている。また、天井板１０の周端部の下側隅角部には、図２に示すように、その下側隅角部を断面矩形状に切り欠いた切り欠き段部１０ａが形成されている。ここで、システム天井３０では、天井板１０の切り欠き段部１０ａの下面を収容口８周りの４辺のバー材６の係止部６ｃの上面に載置することにより、天井板１０がバー材６の係止部６ｃに載せ掛けられた状態で支持されている。
【００３２】
天井板落下抑制具２０は、図４〜図６に示すように、バー材６の固定部６ａに嵌め込み可能に設けられた嵌込部材１５と、嵌込部材１５の上部から側方に３０ｍｍ程度、突出するように設けられた弾性部材１６とを備えている。
【００３３】
嵌込部材１５は、図４に示すように、逆Ｕ字状の断面を有し、下方に開口した開口部１５ａを備えている。ここで、嵌込部材１５の開口部１５ａには、図４に示すように、バー材６の固定部６ａの抜けを抑制する返し１５ｂが設けられている。また、嵌込部材１５の上部には、図５に示すように、弾性部材１６を挿通させるための一対の貫通孔１５ｃが設けられている、なお、嵌込部材１５は、例えば、ばね鋼板により構成されている。
【００３４】
弾性部材１６は、図４〜図６に示すように、円筒状に細長く形成され、嵌込部材１５の上部を貫通するように設けられている。また、弾性部材１６は、図６に示すように、バー材６の係止部６ｃに支持される天井板１０の上面から２０ｍｍ程度、離間するように設けられている。ここで、弾性部材１６は、例えば、金属製の引張コイルばねにより構成されている。なお、本実施形態では、引張コイルばねにより構成された弾性部材１６を例示したが、弾性部材１６は、例えば、難燃性を有する棒状のゴム等により構成されていてもよい。
【００３５】
上述した天井板落下抑制具２０は、図１及び図６に示すように、収容口８周りの４辺のバー材６の対向する２辺のバー材６の固定部６ａに取り付け、バー材６の係止部６ｃに載せ掛けた状態で支持される天井板１０の落下を抑制するように構成されている。
【００３６】
以上説明したように、本実施形態の天井板落下抑制具２０によれば、バー材６の固定部６ａに嵌め込み可能に下方に開口した開口部１５ａを有する嵌込部材１５と、嵌込部材１５から側方に突出するように設けられた弾性部材１６とを備えているので、バー材６の係止部６ｃに天井板１０を支持させた状態でバー材６の固定部６ａに嵌込部材１５を嵌め込むと、嵌込部材１５から側方に突出する弾性部材１６が天井板１０の上面から離間した状態で配置される。これにより、地震等により天井板１０がバー材６の係止部６ｃから数ｃｍ程度に浮いたとしても、天井板１０の上面の端部がストッパーとして機能する弾性部材１６に接触するので、天井板１０がバー材６を乗り越えることを抑制することができ、天井板１０の落下を抑制することができる。また、例えば、天井裏を点検する際には、天井板１０を１０ｃｍ程度に大きく持ち上げるので、天井板１０を持ち上げる途中に天井板１０の上面の端部が弾性部材１６に接触しても弾性部材１６が弾性変形し、その後、天井板１０をさらに持ち上げることにより、天井板１０が弾性部材１６から外れることになる。そのため、天井板１０を大きく持ち上げる場合には、弾性部材１６がストッパーとして機能しなくなるので、天井板１０を容易に持ち上げることができる。したがって、天井板１０の落下を抑制すると共に、天井板１０の持ち上げを容易にすることができる。
【００３７】
また、本実施形態の天井板落下抑制具２０によれば、弾性部材１６がバー材６の係止部１６ｃに支持される天井板１０の上面から離間するように設けられているので、バー材６の係止部６ｃに天井板１０が支持された状態では、弾性部材１６による弾性復元力が天井板１０に働かなく、天井板１０を持ち上げ易くすることができる。
【００３８】
また、本実施形態の天井板落下抑制具２０によれば、細長の弾性部材１６が嵌込部材１５の上部を貫通するように設けられているので、天井板落下抑制具２０の構造を簡素化することができる。
【００３９】
また、本実施形態の天井板落下抑制具２０によれば、弾性部材１６が金属製のコイルばねにより構成されているので、弾性部材１６に不燃性を担保することができる。
【００４０】
また、本実施形態の天井板落下抑制具２０によれば、弾性部材１６が引張コイルばねにより構成されているので、同じサイズの圧縮コイルばねよりも弾性復元力を大きくすることができる。また、無負荷状態の引張コイルばねは、その側面に螺旋状の溝を有しているので、その螺旋状の溝を利用して、嵌込部材１５に弾性部材１６を半固定することができる。
【００４１】
また、本実施形態の天井板落下抑制具２０によれば、嵌込部材１５がばね鋼板により構成されているので、例えば、ばね鋼板をＵ字状に成型することにより、開口部１５ａを有する嵌込部材１５を容易に作製することができる。
【００４２】
また、本実施形態の天井板落下抑制具２０によれば、嵌込部材１５の開口部１５ａにバー材６の固定部６ａの抜けを抑制する返し１５ｂが設けられているので、バー材６の固定部６ａからの天井板落下抑制具２０の脱落を抑制することができる。
【００４３】
また、本実施形態の天井板落下抑制具２０によれば、格子状に組まれたバー材６の固定部６ａにクリップ形態の天井板落下抑制具２０を取り付けるだけで天井板１０の落下を抑制することができるので、例えば、天井裏のメンテナンス時に既存のシステム天井に天井板落下抑制具２０を取り付けるだけで、既存のシステム天井の耐震性を向上させることができる。
【００４４】
また、本実施形態の天井板落下抑制具２０を備えたシステム天井３０によれば、格子状に組まれた複数のバー材６のなす各格子を構成する４辺のバー材６のうち、対向する２辺のバー材６に天井板落下抑制具２０をそれぞれ取り付けるので、各格子間の収容口８から天井板１０がすり抜け難くなり、天井板１０の落下を効率的に抑制することができる。
【００４５】
《その他の実施形態》
上記第１の実施形態では、嵌込部材１５及び弾性部材１６を備えた天井板落下抑制具２０を例示したが、例えば、嵌込部材１５の側壁を切り起こしてその切り起こした部分を弾性部材として機能させた天井板落下抑制具であってもよい。
【００４６】
上記第１の実施形態では、嵌込部材１５の両側の側方に突出するように弾性部材１６が設けられた天井板落下抑制具２０を例示したが、例えば、室内の壁際用に、嵌込部材１５の一方の側方に突出するように弾性部材が設けられた天井板落下抑制具であってもよい。
【産業上の利用可能性】
【００４７】
以上説明したように、本発明は、天井板の落下を抑制すると共に、天井板の持ち上げを容易にすることができるので、極めて有用である。
【符号の説明】
【００４８】
１        天井スラブ
６        バー材
６ａ      固定部（バー材の上部）
６ｃ      係止部（バー材の下部）
１０      天井板
１５      嵌込部材
１５ａ    開口部
１５ｂ    返し
１６      コイルばね（弾性部材）
２０      天井板落下抑制具
３０      システム天井
【図１】
2019027140.tif 000003
【図２】
2019027140.tif 000004
【図３】
2019027140.tif 000005
【図４】
2019027140.tif 000006
【図５】
2019027140.tif 000007
【図６】
2019027140.tif 000008